【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】
複数のドット領域を有する基板と、
隣り合う前記ドット領域間の境界領域で凹部又は開口部を有するように前記基板上に設けられ、且つ不規則に配列された山部又は谷部を有する下地層と、
前記下地層の表面側に設けられると共に前記凹部又は開口部に入り込む着色層とを有し、
前記着色層は第１色の第１着色部と、第２色の第２着色部と、第３色の第３着色部とを有し、
前記第１着色部の可視光波長域における平均透過率は、前記第２着色部及び前記第３着色部の可視光波長域における平均透過率よりも低く、
前記第１着色部及び前記第２着色部、前記第３着色部は、前記凹部又は開口部において前記基材に前記第１着色部及び前記第２着色部、前記第３着色部の順に積層され、且つ前記第１着色部の厚さは前記第２着色部及び前記第３着色部の厚さよりも厚く形成されている
ことを特徴とする電気光学装置用基板。
【請求項２】
対向配置された一対の基板と、複数のドットを有する電気光学装置であって、
隣り合う前記ドット間の境界領域で凹部又は開口部を有するように一方の前記基板上に設けられ、且つ不規則に配列された複数の山部又は谷部を有する下地層と、
前記下地層の表面側に設けられると共に前記凹部又は開口部に入り込む着色層とを有し、
前記着色層は第１色の第１着色部と、第２色の第２着色部と、第３色の第３着色部とを有し、
前記第１着色部の可視光波長域における平均透過率は、前記第２着色部及び前記第３着色部の可視光波長域における平均透過率よりも低く、
前記第１着色部及び前記第２着色部、前記第３着色部は、前記凹部又は開口部において前記基材に前記第１着色部及び前記第２着色部、前記第３着色部の順に積層され、且つ前記第１着色部の厚さは前記第２着色部及び前記第３着色部の厚さよりも厚く形成されている
ことを特徴とする電気光学装置。
【請求項３】
請求項２に記載の電気光学装置を備えていることを特徴とする電子機器。
【請求項４】
複数のドット領域を有する電気光学装置用基板の製造方法であって、
前記基板に、隣り合う前記ドット領域間の境界領域で凹部又は開口部を有しかつ不規則に配列された山部又は谷部を有するように下地層を形成する工程と、
前記下地層上の表面側に着色層を形成する工程と
を具備し、
前記着色層形成工程では、前記着色層を前記凹部又は開口部へ入り込むように形成し、
且つ前記着色層は第１色の第１着色部と、第２色の第２着色部と、第３色の第３着色部とを有し、
前記第１着色部の可視光波長域における平均透過率は、前記第２着色部及び前記第３着色部の可視光波長域における平均透過率よりも低く、
前記第１着色部及び前記第２着色部、前記第３着色部は、前記凹部又は開口部において前記基材に前記第１着色部及び前記第２着色部、前記第３着色部の順に積層し、且つ前記第１着色部の厚さは前記第２着色部及び前記第３着色部の厚さよりも厚く形成する
ことを特徴とする電気光学装置用基板の製造方法。
【手続補正２】
【補正対象書類名】明細書
【補正対象項目名】０００７
【補正方法】変更
【補正の内容】
【０００７】
【課題を解決するための手段】
本発明の電気光学装置用基板は、複数のドット領域を有する基板と、隣り合う前記ドット領域間の境界領域で凹部又は開口部を有するように前記基板上に設けられ、且つ不規則に配列された山部又は谷部を有する下地層と、前記下地層の表面側に設けられると共に前記凹部又は開口部に入り込む着色層とを有し、前記着色層は第１色の第１着色部と、第２色の第２着色部と、第３色の第３着色部とを有し、前記第１着色部の可視光波長域における平均透過率は、前記第２着色部及び前記第３着色部の可視光波長域における平均透過率よりも低く、前記第１着色部及び前記第２着色部、前記第３着色部は、前記凹部又は開口部において前記基材に前記第１着色部及び前記第２着色部、前記第３着色部の順に積層され、且つ前記第１着色部の厚さは前記第２着色部及び前記第３着色部の厚さよりも厚く形成されることを特徴とする。
【手続補正３】
【補正対象書類名】明細書
【補正対象項目名】００１５
【補正方法】変更
【補正の内容】
【００１５】
本発明によれば、前記第１の着色部の可視光波長域における平均透過率は、前記第２、第３の着色部の可視光波長域における平均透過率よりも低く、前記第１の着色部および前記第２、第３の着色部は、前記基板に前記第１の着色部及び前記第２、第３の着色部の順に積層されていることを特徴とする。このような構成し、下地層に設けられた凹部又は開口部に最初に形成される着色部を一番厚く形成できるので、より遮光性が大きくなり、コントラストを明瞭にさせることができる。
【手続補正４】
【補正対象書類名】明細書
【補正対象項目名】００２３
【補正方法】変更
【補正の内容】
【００２３】
本発明の電気光学装置は、対向配置された一対の  基板と、複数のドットを有し、隣り合う前記ドット間の境界領域で凹部又は開口部を有するように一方の前記基板上に設けられ、且つ不規則に配列された複数の山部又は谷部を有する下地層と、前記下地層の表面側に設けられると共に前記凹部又は開口部に入り込む着色層とを有し、前記着色層は第１色の第１着色部と、第２色の第２着色部と、第３色の第３着色部とを有し、前記第１着色部の可視光波長域における平均透過率は、前記第２着色部及び前記第３着色部の可視光波長域における平均透過率よりも低く、前記第１着色部及び前記第２着色部、前記第３着色部は、前記凹部又は開口部において前記基材に前記第１着色部及び前記第２着色部、前記第３着色部の順に積層され、且つ前記第１着色部の厚さは前記第２着色部及び前記第３着色部の厚さよりも厚く形成されていることを特徴とする。
【手続補正５】
【補正対象書類名】明細書
【補正対象項目名】００２９
【補正方法】変更
【補正の内容】
【００２９】
本発明によれば、前記第１の着色部の可視光波長域における平均透過率は、前記第２、第３の着色部の可視光波長域における平均透過率よりも低く、前記第１の着色部および前記第２、第３の着色部は、前記基板に前記第１の着色部及び前記第２、第３の着色部の順に積層されていることを特徴とする。このような構成によれば、下地層に設けられた凹部又は開口部に最初に形成される着色部を一番厚く形成できるので、より遮光性が大きくなり、コントラストを明瞭にさせることができる。
【手続補正６】
【補正対象書類名】明細書
【補正対象項目名】００３０
【補正方法】変更
【補正の内容】
【００３０】
本発明の電子機器は、請求項２に記載の電気光学装置を備えていることを特徴とする。このように、上述の電気光学装置は、携帯電話や携帯情報端末等のように屋外で使用することも多く、各画素領域と隣り合う画素領域間の境界領域との表面の平坦性が確保できることによる表示画面のコントラストの明瞭化等により、より画面が見やすくなる。
【手続補正７】
【補正対象書類名】明細書
【補正対象項目名】００３１
【補正方法】変更
【補正の内容】
【００３１】
本発明の電気光学装置用基板の製造方法は、複数のドット領域を有する電気光学装置用基板の製造方法であって、前記基板に、隣り合う前記ドット領域間の境界領域で凹部又は開口部を有しかつ不規則に配列された山部又は谷部を有するように下地層を形成する工程と、前記下地層上の表面側に着色層を形成する工程とを具備し、前記着色層形成工程では、前記着色層を前記凹部又は開口部へ入り込むように形成し、且つ前記着色層は第１色の第１着色部と、第２色の第２着色部と、第３色の第３着色部とを有し、前記第１着色部の可視光波長域における平均透過率は、前記第２着色部及び前記第３着色部の可視光波長域における平均透過率よりも低く、前記第１着色部及び前記第２着色部、前記第３着色部は、前記凹部又は開口部において前記基材に前記第１着色部及び前記第２着色部、前記第３着色部の順に積層し、且つ前記第１着色部の厚さは前記第２着色部及び前記第３着色部の厚さよりも厚く形成することを特徴とする。
【手続補正８】
【補正対象書類名】明細書
【補正対象項目名】００３４
【補正方法】変更
【補正の内容】
【００３４】
本発明によれば、前記第１の着色部の可視光波長域における平均透過率は、前記第２、第３の着色部の可視光波長域における平均透過率よりも低く、前記第１の着色部および前記第２、第３の着色部は、前記基板に前記第１の着色部及び前記第２、第３の着色部の順に積層されていることを特徴とする。このような構成によれば、下地層に設けられた凹部又は開口部に最初に形成される着色部を一番厚く形成できるので、より遮光性が大きくなり、コントラストを明瞭にさせることができる。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】